【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
ノズル開口と、上記ノズル開口に連通する圧力発生室および上記圧力発生室に供給する液体を貯留する液体貯留室と、
上記圧力発生室および液体貯留室の開口を塞ぐ封止板と、を有する流路ユニットと、
上記流路ユニットが貼着されるヘッドケースと、を備えた液体噴射ヘッドであって、
上記封止板の液体貯留室に対応する部分に、上記液体貯蔵室内の圧力変動を逃す封止板側凹部が形成されるとともに、上記ヘッドケースには、上記封止板側凹部の圧力を開放するための大気開放用の開放通路が形成され、
上記封止板には、上記封止板側凹部と上記開放通路とを連通させると共に、水蒸気拡散を抑制する流路抵抗が付与された制御通路が形成され、
上記封止板は、隔壁用薄膜と、上記制御通路と封止板側凹部が形成される通路等形成用薄膜とを備え、
上記通路等形成用薄膜に形成された上記制御通路の近傍に配置される上記封止板側凹部のうち、この制御通路に対向する部分が、この制御通路と略平行に形成されていることを特徴とする液体噴射ヘッド。
【請求項２】
上記隔壁用薄膜が樹脂製薄膜で形成され、上記通路等形成用薄膜が金属製薄膜で形成されていることを特徴とする請求項１に記載の液体噴射ヘッド。
【請求項３】
上記金属製薄膜にエッチング処理を用いて上記制御通路と封止板側凹部が形成されていることを特徴とする請求項２に記載の液体噴射ヘッド。
【請求項４】
上記流路抵抗は、上記樹脂製薄膜の水蒸気透過率よりも低い透過率特性とされていることを特徴とする請求項２又は請求項３に記載の液体噴射ヘッド。
【請求項５】
上記樹脂製薄膜がポリフェニレンサルファイドフィルムであることを特徴とする請求項２乃至請求項４のいずれかに記載の液体噴射ヘッド。
【請求項６】
上記ヘッドケースには、上記封止板の液体貯留室に対応する部分にダンパ用凹部が形成されるとともに、このダンパ用凹部に連通した接続用凹部が形成もしくは接続され、
この接続用凹部は、上記ヘッドケースに設けられていると共に、上記接続用凹部に上記制御通路が連通されていることを特徴とする請求項１乃至請求項５のいずれかに記載の液体噴射ヘッド。
【請求項７】
複数個の上記ダンパ用凹部にそれぞれ設けられた上記接続用凹部が互いに連通されていることを特徴とする請求項６に記載の液体噴射ヘッド。
【請求項８】
上記封止板は上記ヘッドケースに接着剤を用いて接着され、上記接着剤の余剰分を収容する凹部が少なくとも上記制御通路の近傍に設置されていることを特徴とする請求項１乃至請求項７のいずれかに記載の液体噴射ヘッド。
【請求項９】
上記凹部が上記制御通路と連通していることを特徴とする請求項８に記載の液体噴射ヘッド。
【請求項１０】
上記接着剤の余剰分を収容する凹部は、上記制御用流路より幅が狭く且つ、上記制御用流路に連通していることを特徴とする請求項９に記載の液体噴射ヘッド。
【請求項１１】
上記制御通路が上記接続用凹部と上記開放通路とを直線状に連通させる直線状開放通路となっていることを特徴とする請求項１乃至請求項１０のいずれかに記載の液体噴射ヘッド。
【請求項１２】
前記封止板側凹部には、接着用突部が形成されていることを特徴とする請求項１１に記載の液体噴射ヘッド。
【手続補正２】
【補正対象書類名】明細書
【補正対象項目名】００１１
【補正方法】変更
【補正の内容】
【００１１】
上記の目的は、本発明によれば、ノズル開口と、上記ノズル開口に連通する圧力発生室および上記圧力発生室に供給する液体を貯留する液体貯留室と、上記圧力発生室および液体貯留室の開口を塞ぐ封止板と、を有する流路ユニットと、上記流路ユニットが貼着されるヘッドケースと、を備えた液体噴射ヘッドであって、
上記封止板の液体貯留室に対応する部分に、上記液体貯蔵室内の圧力変動を逃す封止板側凹部が形成されるとともに、上記ヘッドケースには、上記封止板側凹部の圧力を開放するための大気開放用の開放通路が形成され、上記封止板には、上記封止板側凹部と上記開放通路とを連通させると共に、水蒸気拡散を抑制する流路抵抗が付与された制御通路が形成され、上記封止板は、隔壁用薄膜と、上記制御通路と封止板側凹部が形成される通路等形成用薄膜とを備え、上記通路等形成用薄膜に形成された上記制御通路の近傍に配置される上記封止板側凹部のうち、この制御通路に対向する部分が、この制御通路と略平行に形成されていることを特徴とする液体噴射ヘッドにより達成される。
【手続補正３】
【補正対象書類名】明細書
【補正対象項目名】００１２
【補正方法】変更
【補正の内容】
【００１２】
すなわち、本発明の液体噴射ヘッドは、上記封止板の液体貯留室に対応する部分に、上記液体貯蔵室内の圧力変動を逃す封止板側凹部が形成されるとともに、上記ヘッドケースには、上記封止板側凹部の圧力を開放するための大気開放用の開放通路が形成され、上記封止板には、上記封止板側凹部と上記開放通路とを連通させると共に、水蒸気拡散を抑制する流路抵抗が付与された制御通路が形成される。
したがって、封止板を透過した液体の水蒸気は上記制御通路の設定された流路抵抗により流通が制約されて、過剰な水蒸気拡散が抑制される。
また、上記制御通路は上記封止板に形成されているので、上記制御通路の深さは、最大でも上記封止板の厚みであり、プレス等の簡単な手法で精度の高い制御通路が形成することができる。
【手続補正４】
【補正対象書類名】明細書
【補正対象項目名】００１４
【補正方法】変更
【補正の内容】
【００１４】
また、上記封止板は、隔壁用薄膜と、上記制御通路と封止板側凹部が形成される通路等形成用薄膜とを備え、上記通路等形成用薄膜に形成された上記制御通路の近傍に配置される上記封止板側凹部のうち、この制御通路に対向する部分が、この制御通路と略平行に形成されている。
【手続補正５】
【補正対象書類名】明細書
【補正対象項目名】００１５
【補正方法】変更
【補正の内容】
【００１５】
上記構成の場合は、上記通路等形成用薄膜の少なくと一部を除去して、上記封止板側凹部及び上記制御通路が形成されるので、これら上記封止板側凹部及び上記制御通路通路の剛性は、これらが形成されていない部分より弱く、皺が生じやすい部分となっている。
また、皺が生じやすい部分が近接して配置される上記封止板側凹部及び上記制御通路の部分は、さらに皺が生じやすい環境となる。
そのため、上記封止板側凹部のうち、この制御通路に対向する部分が、この制御通路通路と略平行に形成することで、外部等から力が加わった場合でも、その力が偏らず均等にかかり、皺が生じ難い構成となっている。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
好ましくは、上記隔壁用薄膜が樹脂製薄膜で形成され、上記通路等形成用薄膜が金属製薄膜で形成されている液体噴射ヘッドである。
上記構成の場合には、金属製薄膜に制御通路を形成することから、簡単な手法で高い精度の制御通路が形成でき、液体中の水蒸気の蒸発抑制が最適な状況下で達成される。
【手続補正８】
【補正対象書類名】明細書
【補正対象項目名】００２３
【補正方法】変更
【補正の内容】
【００２３】
好ましくは、上記ヘッドケースには、上記封止板の液体貯留室に対応する部分にダンパ用凹部が形成されるとともに、このダンパ用凹部に連通した接続用凹部が形成もしくは接続され、この接続用凹部は、上記ヘッドケースに設けられていると共に、上記接続用凹部に上記制御通路が連通されている液体噴射ヘッドである。
上記構成の場合には、寸法的に微細な制御通路をダンパ用凹部に接続する際に、制御通路とダンパ用凹部との相対位置が多少狂っていても、接続用凹部で誤差吸収がなされる。このような誤差吸収は、上記封止板をヘッドケースに貼着する際の相対位置の狂いを吸収し、生産性を向上させるのに有効である。
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】
【手続補正２０】
【補正対象書類名】明細書
【補正対象項目名】００４３
【補正方法】削除
【補正の内容】
【手続補正２１】
【補正対象書類名】明細書
【補正対象項目名】００４４
【補正方法】削除
【補正の内容】